(57)【要約】【課題】カバーフィルムをトップシールした容器において、トップシールを剥がしたカバーフィルムを、簡便に処理することを技術的課題とし、もってカバーフィルム付き容器の取扱い性を向上することを目的とする。【解決手段】上端にフランジ６を備え、内容物を収納する合成樹脂製の内容器体２と、該内容器体２との間に間隙５を設けて内容器体２に外装し、内容器体２との間に進入口と突出口とを有する外容器体３と、フランジ６に密着して内容器体２の開口を密閉するトップシール部４ａを有し、該トップシール部４ａから連続して、進入口から内容器体２と外容器体３との間隙５に進入し、突出口から突出した、フランジ６から剥がしたトップシール部４ａを、進入口から内容器体２と外容器体３との間隙に引き込む牽引部４ｂを設けたカバーフィルム４とから成るカバーフィルム付き容器１である。【選択図】　　　　　　図２
2004059111.tif 000002
【特許請求の範囲】
【請求項１】
上端に鍔状のフランジ（６）を備え、内容物を収納する合成樹脂製の内容器体（２）と、該内容器体（２）との間に間隙（５）を設けて前記内容器体（２）に外装し、前記内容器体（２）との間に進入口と突出口とを有する外容器体（３）と、前記フランジ（６）に密着して前記内容器体（２）の開口を密閉するトップシール部（４ａ）を有し、該トップシール部（４ａ）から連続して、前記進入口から間隙（５）に進入し、前記突出口から突出する、前記フランジ（６）から剥がした前記トップシール部（４ａ）を前記間隙（５）に引き込む牽引部（４ｂ）を設けたカバーフィルム（４）とから成るカバーフィルム付き容器。
【請求項２】
突出口を、進入口の対向部に設けた請求項１記載のカバーフィルム付き容器。
【請求項３】
内容器体（２）のフランジ（６）に、内周面に上向の係止部（８）を設けた係止筒（７）を垂下設し、外容器体（３）の上端に、前記係止部（８）に係止する外方に突出する係止片（９）を設け、前記係止筒（７）の一部を切り欠いた切欠部（１０）を進入口とし、外容器体（３）の側面の一部を切り欠いた側面切欠部（１１）を突出口とした請求項１または２記載のカバーフィルム付き容器。
【請求項４】
外容器体（３）の側面切欠部（１１）を、外容器体（３）の略半分の高さまで切り欠いた請求項３記載のカバーフィルム付き容器。
【請求項５】
側面切欠部（１１）に、下方に突出した掛止片（１１ａ）を設け、カバーフィルム（４）の牽引部（４ｂ）の先端部に、掛止片（１１ａ）に掛止する掛止孔（４ｃ）を設けた請求項３または４記載のカバーフィルム付き容器。
【発明の詳細な説明】
【０００１】
【発明の属する技術分野】
本発明は、容器の開口をカバーフィルムで密閉するカバーフィルム付き容器に関する。
【０００２】
【従来の技術】
従来において、納豆等の食品を収納する容器として、容器本体の上端にフランジを設け、ポリエチレンやポリアミド等のカバーフィルムを容器本体のフランジに熱溶着して開口部をシールするカバーフィルム付きの容器が用いられている。
【０００３】
カバーフィルム付き容器は、トップシールを剥がせば、直ぐに容器を開けることができるため、ユーザーが使い易い、という利点を有する。
【０００４】
【発明が解決しようとする課題】
しかしながら、従来のカバーフィルムでトップシールした容器にあっては、容器に収納した内容物が、トップシールしたカバーフィルムの裏面に付着してしまい、容器本体から剥がしたカバーフィルムの処理が面倒になる、と云う問題があった。特に、納豆等の付着し易い内容物を収納した容器にあっては、トップシールしたカバーフィルムの裏面に納豆の粘りが付着し、容器本体から剥がしたカバーフィルムに付着した粘りが、他の部分に付着して、近辺を汚したりする場合があるため、処理に困る場合があった。
【０００５】
そこで、本発明は、上記した従来技術における問題点を解消すべく創案されたもので、カバーフィルムをトップシールした容器において、トップシールを剥がしたカバーフィルムを、簡便に処理することを技術的課題とし、もってカバーフィルム付き容器の取扱い性を向上することを目的とする。
【０００６】
【課題を解決するための手段】
上記技術的課題を解決する本発明の内、請求項１記載の発明の手段は、
上端に外鍔状のフランジを備え、内容物を収納する合成樹脂製の内容器体と、該内容器体との間に間隙を設けて内容器体に外装し、内容器体との間に進入口と突出口とを有する外容器体と、
内容器体のフランジに密着して内容器体の開口を密閉するトップシール部を有し、該トップシール部から連続して、進入口から間隙に挿入し、突出口から突出する、内容器体のフランジから剥がしたトップシール部を内容器体と外容器体の間隙に引き込む牽引部を設けたカバーフィルムとから成ること、にある。
【０００７】
本発明にあっては、内容物を収納する内容器体に外容器体を外装し、内容器体を密閉していたカバーフィルムのトップシール部を、内容器体から剥がした後、カバーフィルムの他端に設けた牽引部を引っ張って、剥がしたトップシール部を内容器体と外容器体との間隙に収納できるので、内容物が付着したカバーフィルムのトップシール部の処理を簡単に行うことができる。
【０００８】
請求項２記載の発明の手段は、請求項１記載の発明の構成に、突出口を、進入口の対向部に設けたこと、を加えたものである。
【０００９】
請求項２記載の発明にあっては、進入口から進入したカバーフィルムの牽引部が、内容器体の側面、底面、側面を周って、進入口の対向部に設けた突出口から突出することとなり、トップシール部を内容器体と外容器体との間隙に引き込む牽引部の長さが確保される。したがって、牽引部を引っ張ることにより、剥がした後のトップシール部が、確実に内容器体と外容器体との間隙に引き込まれる。
【００１０】
請求項３記載の発明の手段は、請求項１または２記載の発明の構成に、内容器体のフランジに、内周面に上向の係止部を設けた係止筒を垂下設し、外容器体の上端に、内容器体の係止筒の係止部に係止する外方に突出した係止片を設け、前記係止筒の一部を切り欠いた切欠部を挿入口とし、外容器体の側面の一部を切り欠いた側面切欠部を突出口としたこと、を加えたものである。
【００１１】
内容器体の係止筒の係止部に、外容器体の係止片を係止して、内容器体と外容器体を嵌め合わせることができるため、簡単に、二重構造の容器を形成することができる。また、進入口を内容器体に設け、突出口を外容器体に設けたため、カバーフィルムは、進入口と突出口で支持され、牽引部を強く牽引しても、内容器体と外容器体の組付きが外れることなく、トップシール部を内容器体と外容器体との間隙に確実に収納することができる。
【００１２】
請求項４記載の発明は、請求項３記載の発明の構成に、外容器体の側面切欠部を、外容器体の略半分の高さまで切り欠いたこと、を加えたものである。
【００１３】
請求項４記載の発明にあっては、カバーフィルムの牽引部を突出する突出口となる側面切欠部を、外容器体の略半分の高さまで切り欠いた形状としたため、内容器体の側面、底部、側面を周って牽引部を突出させるカバーフィルムの長さを短くして牽引しやすくするとともに、内容器体の側面、底部、略半分の高さの側面を周って突出させたカバーフィルムの牽引部を引っ張ることにより、剥がしたトップシール部を、確実に内容器体と外容器体の間隙に引き込むことができる。
【００１４】
請求項５記載の発明の手段は、請求項３または４記載の発明の構成に、外容器体の側面切欠部に、下方に突出した掛止片を設け、カバーフィルムの牽引部に、掛止片に掛止する掛止孔を設けたこと、にある。
【００１５】
請求項５記載の発明にあっては、内容器体と外容器体との間隙から突出させたカバーフィルムの牽引部を、外容器体の側面切欠部に設けた掛止片に掛止しておくことができるため、突出させた牽引部が邪魔とならず、牽引部を把持して引っ張るとき以外は、妄りにカバーフィルムが引っ張られることがない。
【００１６】
【発明の実施の形態】
以下、本発明の一実施例を、図面を参照しながら説明する。
図１は、カバーフィルム付き容器１の平面図、図２はＡ−Ａ縦断面図、図３はＢ−Ｂ縦断面図である。
【００１７】
図１乃至図３に示すように、カバーフィルム付き容器１は、内容物を収納するポリプロピレン、ポリエチレン製等の筐体状の内容器体２と、間隙を設けて内容器体２に外装する同じくポリプロピレン、ポリエチレン製の筐体状の外容器体３と、内容器体２の開口を密閉するトップシール部４ａを有するポリプロピレンフィルム、ポリエチレンフィルム製のカバーフィルム４とから成っている。
【００１８】
内容器体２は、上端に外鍔状のフランジ６を設け、該フランジ６の外周から短筒状の係止筒７を垂下設している。係止筒７の内周面には、上向段状の係止部８を設けている。
【００１９】
外容器体３は、上端に係止部８に係止する外方に突出した係止片９を設けている。外容器体３の上端を、内容器体２の係止筒７に嵌合し、係止片９を係止部８に係止することにより、内容器体２と外容器体３とが組合わされて、内容器体２と外容器体３との間に間隙５を設けた二重構造の容器となる。
【００２０】
図４に示すように、カバーフィルム４は、一端に、内容器体２のフランジ６に密着して内容器体２の開口を密閉するトップシール部４ａを有し、該トップシール部４ａから連続した帯状の牽引部４ｂを設け、牽引部４ｂの先端部には、矩形状の掛止孔４ｃを設けている。
【００２１】
図２に示すように、内容器体２は、係止筒７を構成している一辺を切り欠いて、カバーフィルム４の進入口となる切欠部１０を設けている。一方、
外容器体３は、切欠部１０の対向面となる外容器３の側面の略半分を正面矩形状に切り欠き、内容器体２と外容器体３との間隙に挿入したカバーフィルム４の突出口となる側面切欠部１１を設けている。
【００２２】
図２及び図５に示すように、側面切欠部１１は、側面切欠部１１の周囲を断面逆Ｌ字状に折り曲げたブリム部１１ａを設け、該ブリム部１１ａの一部を他部位よりも下方に突出させた掛止片１１ｂを設けている。
【００２３】
カバーフィルム４は、牽引部４ｂを進入口となる切欠部１０から内容器体２と外容器体３との間隙に進入し、帯状の牽引部４ｂが、内容器体２の側面、底部、側面の略半分の周囲を周って、牽引部４ｂの先端を突出口となる側面切欠部１１から外部に突出させる（図２及び図４（ｂ）参照）。そして、突出した牽引部４ｂが邪魔にならないように、掛止孔４ｃを掛止片１１ｂに掛止する。
【００２４】
容器１に収納した内容物を取り出す場合は、先ず、図６（ａ）に示すように、トップシール部４ａをフランジ６から引き剥がし、次いで、図６（ｂ）に示すように、係止孔４ｃの掛止を外して、牽引部４ｂを水平に引っ張ると、内容物が付着しているトップシール部４ａが、切欠部１０から間隙５に引き込まれ、内容器体２と外容器体３との間に収納される。
【００２５】
カバーフィルム４の突出口となる側面切欠部１１を、外容器体３の略半分の高さで切り欠くと、内容器体２の側面、底部、側面の周囲を周る、カバーフィルム４の帯状の牽引部４ｂの距離が短くなるため、牽引する際のカバーフィルム４の摩擦抵抗が少なくなり、簡単に牽引部４ｂを引っ張ることができる。一方、牽引部４ｂは、トップシール部４ａを間隙５に収納するのに充分な長さを確保しているため、牽引部４ｂを引っ張ることにより、剥がしたトップシール部４ａが完全に間隙５に引き込まれる。
【００２６】
図７に示すように、容器１の高さに比べ、トップシール部４ａが大きい場合は、側面切欠部１１を、内容器体２の上端部に設け、トップシール部４ａ全体を間隙５に引き込むことができる牽引部４ｂの長さを確保する。
【００２７】
【発明の効果】
本発明は、上記した構成となっているので、以下に示す効果を奏する。
請求項１記載の発明にあっては、内容物を収納する内容器体に、外容器体を外装し、内容器体を密閉していたカバーフィルムのトップシール部を、内容器体から剥がした後、カバーフィルムの他端に設けた牽引部を引っ張って、剥がしたトップシール部を内容器体と外容器体との間隙に収納できるので、内容物が付着したカバーフィルムのトップシール部の処理を簡単に行うことができ、カバーフィルム付き容器の取扱い性が向上する。
【００２８】
請求項２記載の発明にあっては、カバーフィルムの牽引部が、内容器体と外容器体との間隙に進入する進入口の対向部に、突出口を設けたため、カバーフィルムが内容器体の側面、底面、側面を周って、牽引部を突出口から突出させることになり、開口の大きな内容器体を密閉する場合であっても、確実に内容器体と外容器体との間隙にトップシール部を収納することができる。
【００２９】
請求項３記載の発明にあっては、外容器体を、内容器体の係止筒の係止部に、嵌め合わせて簡単に二重構造の容器とすることができ、進入口を内容器体に、突出口を外容器体に設けたため、牽引部を引っ張る際に、カバーフィルムが進入口および突出口で確実に支持され、カバーフィルムの牽引部を引っ張って、内容器体と外容器体との間隙に収納した場合であっても、容器の二重構造を保持したまま、確実にトップシール部を収納することができる。
【００３０】
請求項４記載の発明にあっては、カバーフィルムの牽引部を突出する突出口となる側面切欠部を、外容器体の略半分の高さまで切り欠いた形状としたため、カバーフィルムの長さを短くして牽引しやすくするとともに、トップシール部を内容器体と外容器体の間隙に引き込むことができる牽引部の長さを確保して、確実に剥がしたトップシール部を確実に収納することができる。
【００３１】
請求項５記載の発明にあっては、突出させたカバーフィルムの牽引部を、外容器体の側面切欠部に設けた掛止片に掛止しておくことができるため、突出させた牽引部が邪魔とならず、妄りにカバーフィルムが他の物に引っ掛かって、引っ張られることがないため、トップシール部を剥がさない状態にあっては、カバーフィルムを安定な状態に保持しておくことができる。
【図面の簡単な説明】
【図１】本発明の実施例を示し、カバーフィルム付き容器の平面図。
【図２】図１のＡ−Ａ縦断面図。
【図３】図１のＢ−Ｂ縦断面図。
【図４】（ａ）カバーフィルムを示す展開図、及び（ｂ）容器に装着した状態を示す側面図。
【図５】図１の正面図。
【図６】カバーフィルムを牽引する状態を示す説明図。
【図７】本発明の他の実施例を示す縦断面図。
【符号の説明】
１　　；　　カバーフィルム付き容器
２　　；　　内容器体
３　　；　　外容器体
４　　；　　カバーフィルム
４ａ　；　　トップシール部
４ｂ　；　　牽引部
４ｃ　；　　掛止孔
５　　；　　内容器体と外容器体との間隙
６　　；　　フランジ
７　　；　　係止筒
８　　；　　係止部
９　　；　　係止片
１０　；　　切欠部
１１　；　　側面切欠部
１１ａ；　　ブリム部
１１ｂ；　　掛止片
【図１】
2004059111.tif 000003
【図２】
2004059111.tif 000004
【図３】
2004059111.tif 000005
【図４】
2004059111.tif 000006
【図５】
2004059111.tif 000007
【図６】
2004059111.tif 000008
【図７】
2004059111.tif 000009